(57)【要約】【課題】記録ヘッド１４３に生じる振動を減衰させる。【解決手段】往復移動方向に延在する案内部材１４５と、案内部材１４５に対してボールベアリング２９０を介して接して、往復移動方向に案内されつつ往復移動するキャリッジ３００と、キャリッジ３００に搭載されてキャリッジ３００と共に往復移動しつつインクを吐出する記録ヘッド１４３と、記録ヘッド１４３に隣接して配置され、記録ヘッド１４３の質量を増加させるウエイト組立体４００とを備える。【選択図】図１１
2009023173.tif 000002
【特許請求の範囲】
【請求項１】
所定の往復移動方向に延在する案内部材と、
前記案内部材に接して、前記往復移動方向に案内されつつ往復移動するキャリッジと、
前記キャリッジに搭載されて、前記キャリッジと共に往復移動しつつインクを吐出する記録ヘッドと、
前記記録ヘッドに隣接して配置され、前記記録ヘッドの質量を増加させる錘と
を備える記録装置。
【請求項２】
前記錘は、前記往復移動方向について、前記記録ヘッドを挟んで配置される請求項１に記載の記録装置。
【請求項３】
前記錘は、前記記録ヘッドからインクが吐出される方向に対して直交する方向について、前記記録ヘッドの重心と位置が一致する重心を有する請求項１に記載の記録装置。
【請求項４】
前記錘は、
前記記録ヘッドに対して固定されるフレームと、
前記フレームに対して固定される複数のバラストと
を含む請求項１に記載の記録装置。
【請求項５】
前記記録ヘッドは、前記錘と共にヘッドホルダに収容され、前記ヘッドホルダが前記キャリッジに搭載される請求項１に記載の記録装置。
【請求項６】
前記キャリッジは、
前記案内部材に案内されて往復移動するメインキャリッジと、
前記メインキャリッジに搭載されて、前記往復移動の方向に直交する方向に変位させることにより前記メインキャリッジに対する位置を調節できるサブキャリッジと
を含み、前記記録ヘッドは前記サブキャリッジに搭載される請求項１に記載の記録装置。
【請求項７】
所定の往復移動方向に延在する案内部材と、
前記案内部材に接して、前記往復移動方向に案内されつつ往復移動するキャリッジと、
前記キャリッジに搭載されて、前記キャリッジと共に往復移動しつつ液体を吐出する液体噴射ヘッドと、
前記液体噴射ヘッドに隣接して配置され、前記液体噴射ヘッドの質量を増加させる錘と
を備える液体噴射装置。
【発明の詳細な説明】
【技術分野】
【０００１】
本発明は記録装置および液体噴射装置に関する。より詳細には、案内部材に沿って往復移動するキャリッジと、キャリッジに搭載されて往復移動しつつインクまたは液体を吐出する記録ヘッドまたは液体噴射ヘッドとを備えた記録装置および液体噴射装置に関する。
【背景技術】
【０００２】
微細なノズルを備えた記録ヘッドからインク等の液体を吐出して被記録媒体に付着させて画像を形成する記録装置がある。この種の記録装置では、主走査方向に延在する案内部材に沿って往復移動するキャリッジに記録ヘッドを搭載すると共に、主走査方向に対して交差する搬送方向に被記録媒体を移動させる搬送部を備える。そして、記録ヘッドの主走査と被記録媒体の搬送とを組み合わせることにより、被記録媒体上の任意の領域に液体を付着させて画像を形成する。
【０００３】
このような構造を有する記録装置において、キャリッジが往復移動する場合に発生する振動が記録ヘッドに伝達されると、記録ヘッドから吐出されるインクの飛翔方向にもぶれが生じ、被記録媒体に形成される画像の品質が低下する場合がある。そこで、記録ヘッドに伝達される振動を抑制する構造が種々試みられている。
【０００４】
下記の特許文献１には、印刷ヘッドがキャリッジに対して可動に連結されているとともに、その可動方向両側から少なくとも一側には緩衝要素を介して当接支持されている構造が記載される。これにより、記録ヘッドへの振動の伝播が低減される。
【０００５】
また、下記の特許文献２には、駆動装置により直接に往復移動を駆動されるメインキャリッジに対して、線形弾性部材を有する連結手段を介してサブキャリッジを設け、記録ヘッドをサブキャリッジに搭載する構造が記載される。これにより、キャリッジに発生した振動が記録ヘッドに伝播することが防止される。
【特許文献１】特開２００５−１７８０２３号公報
【特許文献２】特開２００５−２３８８１８号公報
【発明の開示】
【発明が解決しようとする課題】
【０００６】
ところで、記録装置が大型化してキャリッジの往復移動の距離が長くなった場合、キャリッジの移動速度も高くなる。そこで、案内部材に対するキャリッジの移動を円滑にする目的で、ボールベアリング等の転がり軸受けを介してキャリッジを支持する構造が採られる場合がある。しかしながら、転がり軸受けは、全体的な抵抗は低減させる替わりに、固有の振動を発生することが判った。
【０００７】
転がり軸受け独特の振動は、モータ等の動作に起因する振動とは特性が異なり、上記の特許文献１に記載の構造では十分に低減することが難しい。また、特許文献１に記載の構造は、記録ヘッドおよび被記録媒体の間隔であるプラテンギャップを調節する目的でサブキャリッジを変位させる記録装置に対しては適用できない。更に、特許文献２に記載の構造で、特性が異なる種々の振動を低減させる場合には、連結手段の規模が著しく大きくなることが避けられない。
【課題を解決するための手段】
【０００８】
そこで、上記課題を解決することを目的に、本発明の第１の形態として、所定の往復移動方向に延在する案内部材と、案内部材に対して転がり軸受けを介して接して、往復移動方向に案内されつつ往復移動するキャリッジと、キャリッジに搭載されて、キャリッジと共に往復移動しつつインクを吐出する記録ヘッドと、記録ヘッドに隣接して配置され、記録ヘッドの質量を増加させる錘とを備える記録装置が提供される。これにより、記録ヘッドを含む振動の系において記録ヘッドの重心を変化させて、記録ヘッドの振動を抑制することができる。従って、記録ヘッドの振動に起因する記録画像キャリッジ品質低下を防止できる。
【０００９】
錘は、往復移動方向について、記録ヘッドを挟んで配置されてもよい。これにより、記録ヘッドを含む振動の系において、記録ヘッドの回転に係る慣性モーメントを大きくして、記録ヘッドが回転する振動モードについて振動を抑制させることができる。従って、記録ヘッドの振動に起因する記録画像キャリッジ品質低下を防止できる。
【００１０】
錘は、記録ヘッドからインクが吐出される方向に対して直交する方向について、記録ヘッドの重心と位置が一致する重心を有してもよい。これにより、記録ヘッドを含む振動の系において、振動の節が記録ヘッドの重心に接近するので、記録ヘッドの振動を効果的に抑制できる。
【００１１】
錘は、記録ヘッドに対して固定されるフレームと、フレームに対して固定される複数のバラストとを含んでもよい。これにより、記録ヘッドの振動を効果的に抑制できると同時に、記録ヘッドと共に往復移動する系の質量が徒に増加することを防止できる。
【００１２】
記録ヘッドは、錘と共にヘッドホルダに収容され、ヘッドホルダがキャリッジに搭載されてもよい。これにより、記録ヘッドの直近に錘を配置できると共に、記録ヘッドの周囲において錘が占有するスペースを最小限に留めることができる。
【００１３】
キャリッジは、案内部材に案内されて往復移動するメインキャリッジと、メインキャリッジに搭載されて、往復移動の方向に直交する方向に変位させることによりメインキャリッジに対する位置を調節できるサブキャリッジとを含み、記録ヘッドは、サブキャリッジに搭載されてもよい。これにより、メインキャリッジおよびサブキャリッジを有するキャリッジを備えた記録装置においても、上記の一連の効果を得ることができる。
【００１４】
また、本発明の第２の形態として、所定の往復移動方向に延在する案内部材と、案内部材に対して転がり軸受けを介して接して、往復移動方向に案内されつつ往復移動するキャリッジと、キャリッジに搭載されて、キャリッジと共に往復移動しつつ液体を吐出する液体噴射ヘッドと、液体噴射ヘッドに隣接して配置され、液体噴射ヘッドの質量を増加させる錘とを備える液体噴射装置が提供される。これにより、液体噴射装置においても上記の効果を享受できる。
【００１５】
なお、上記発明の概要は、本発明の必要な特徴の全てを列挙したものではない。また、これらの特徴群のサブコンビネーションも発明となり得る。
【発明を実施するための最良の形態】
【００１６】
以下、発明の実施の形態を通じて本発明を説明する。ただし、以下の実施形態は特許請求の範囲に係る発明を限定するものではない。また、実施形態の中で説明される特徴の組み合わせの全てが発明の解決手段に必須であるとは限らない。
【実施例１】
【００１７】
図１は、実施の形態に係るインクジェット式記録装置１００の斜視図である。同図に示すように、このインクジェット式記録装置１００は、長手方向が水平に配置された記録部１４０と、記録部１４０の端部に装着された筐体１１０と、記録部１４０の上側に装着された装填部１３０と、記録部１４０および筐体１１０を下方から支持する脚部１７０とを備える。
【００１８】
装填部１３０には、長尺の被記録媒体１９１を巻き重ねて形成したロール組立体１９０（図４参照）が装填されるが、この図ではロール組立体１９０はロールカバー１３２に覆われる。また、装填部１３０には、リリースレバー１３４が設けられ、装填されたロール組立体１９０の脱着を助ける。一方、記録部１４０においては、トップカバー１４２およびフロントカバー１４４がその内部機構を覆う。記録部１４０の内部には後述する記録ヘッド１４３（図４参照）が配置され、装填部１３０から記録部１４０に給送された被記録媒体１９１に対してインクが吐出される。
【００１９】
装填部１３０から給送されて記録部１４０において画像を形成された被記録媒体１９１は、記録部１４０の下方に形成された排出部１６０に排出される。なお、脚部１７０は、排出部１６０を通過した被記録媒体１９１をスタックするスペースを排出部１６０の下側に形成する。
【００２０】
筐体１１０は、記録部１４０から退避した記録ヘッド１４３が待機するホームポジションのスペースを形成すると共に、その下部に、カートリッジホルダ１２０を有する。カートリッジホルダ１２０には、記録ヘッド１４３に供給するインクを収容したインクカートリッジ１２４が装着される。また、筐体１１０の上面には、操作パネル１８０が配置される。操作パネル１８０は、ユーザが操作するスイッチ１８２の他、インクジェット式記録装置１００の動作状態を示す表示部１８４等も含む。
【００２１】
図２は、フロントカバー１４４を取り外して記録部１４０の内部を露出させたインクジェット式記録装置１００の斜視図である。同図に示すように、記録部１４０の内部には、その全幅にわたってプラテンプレート１５２が配置される。プラテンプレート１５２は、後述するようにその表面に負圧が形成され、装填部１３０のロール組立体１９０から引き出されて給送された被記録媒体１９１を吸着する。これにより、プラテンプレート１５２上において、被記録媒体１９１が平坦になると共に、その位置が決められる。
【００２２】
また、フロントカバー１４４を取り外した状態では、開口の下端に沿って、記録部フレーム１４１が露出する。記録部フレーム１４１は、記録部１４０の強度を担保する構造材であると同時に、後述する管路／線路組立体を支持する部材でもある。
【００２３】
図３は、インクジェット式記録装置１００における記録部１４０の内部機構２００を部分的に抜き出して示す図である。同図に示すように、キャリッジエンコーダスケール１５０の直上には、記録部１４０の全幅にわたって案内部材１４５が配置される。記録ヘッド１４３を搭載したキャリッジ３００は、案内部材１４５に沿って往復移動する。
【００２４】
ここで、キャリッジ３００に搭載された記録ヘッド１４３には、インクと駆動信号が供給される。このため、キャリッジ３００には、フラットチューブ１４７およびフラットケーブル１４９の一端が結合される。キャリッジ３００から出たフラットチューブ１４７およびフラットケーブル１４９は、下方に屈曲した後、記録部フレーム１４１に沿って延在して、やがて、記録部フレーム１４１の下に入り込む。フラットチューブ１４７の他端は、カートリッジホルダ１２０に収容されたインクカートリッジ１２４に連通する。また、フラットケーブル１４９の他端は、インクジェット式記録装置１００の内部回路（不図示）に結合される。
【００２５】
また、フラットチューブ１４７およびフラットケーブル１４９は、クランプ部材１３９により相互に結束されて一体化されて管路／線路組立体を形成する。管路／線路組立体を形成したフラットチューブ１４７およびフラットケーブル１４９は、記録部フレーム１４１の上面に対して固定されておらず、キャリッジ３００が移動した場合に、その屈曲部を移動させてキャリッジ３００に追従する。なお、図３に示す状態では、キャリッジ３００は案内部材１４５右端のホームポジションに位置している。
【００２６】
図４は、インクジェット式記録装置１００の内部機構２００における被記録媒体１９１の給送経路を示す模式的な断面図である。同図に示すように、被記録媒体１９１の給送経路は、装填部１３０内のロール組立体１９０から始まり、記録部１４０内を経て排出部１６０に至る。
【００２７】
装填部１３０においは、ロールカバー１３２の内部にはロール組立体１９０が装填される。ロール組立体１９０は、芯となる紙管１９２の外面に長尺の連続した被記録媒体１９１を巻き重ねて形成される。これにより、大判の被記録媒体１９１を取り扱い易くしている。更に、紙管１９２の内側には金属製のスピンドル部材１９４が挿通され、スピンドル部材１９４の両端が装填部１３０のスピンドル支持部１３６に支持される。なお、被記録媒体１９１は、紙の他、樹脂フィルム、テキスタイル製品等の場合もある。
【００２８】
記録部１４０には、被記録媒体１９１を給送する給送部１１１、被記録媒体１９１にインクを吐出する記録ヘッド１４３、記録ヘッド１４３を搭載したキャリッジ３００、被記録媒体１９１を支持するプラテンプレート１５２等が配置される。給送部１１１は、図示していない給送モータにより回転駆動される給送駆動ローラ１１２と、給送駆動ローラ１１２に当接して連れ回される給送従動ローラ１１４とを含む。被記録媒体１９１は、給送駆動ローラ１１２および給送従動ローラ１１４の間に挟まれ、給送従動ローラ１１４により給送駆動ローラ１１２に押し付けられることにより、給送駆動ローラ１１２の回転に従ってロール組立体１９０から引き出される。
【００２９】
ロール組立体１９０から引き出されて給送部１１１を通過した被記録媒体１９１は、記録ヘッド１４３に対向する位置を通過する。このとき、被記録媒体１９１は、記録ヘッド１４３と対向するプラテンプレート１５２により支持される。これにより、プラテンプレート１５２上の被記録媒体１９１は、記録ヘッド１４３に対して一定の間隔をおいて位置決めされる。
【００３０】
プラテンプレート１５２の後方（図上右側）、つまり、被記録媒体を支持する面と反対側には、図示していないファンユニットが配置され、図中に矢印Ａで示すように、プラテンプレート１５２から吸引した空気を排出ダクト１５９から外部へ排出する。これにより、プラテンプレート１５２の表面に負圧が形成されて、被記録媒体１９１がプラテンプレート１５２に吸いつけられる。
【００３１】
記録ヘッド１４３はキャリッジ３００に搭載され、キャリッジ３００は案内部材１４５から懸架される。案内部材１４５は、図４の紙面に垂直に、記録部１４０の略全幅にわたって延在して、キャリッジ３００の往復移動を案内する。なお、記録ヘッド１４３が吐出するインクは、図示していないパイプを通じてインクカートリッジ１２４から供給される。従って、キャリッジ３００にはインクカートリッジ１２４は搭載されず、キャリッジ３００および記録ヘッド１４３の組立体が軽量になる。
【００３２】
図５は、記録ヘッド１４３を搭載したキャリッジ３００の詳細な構造を示す斜視図である。同図に示すように、キャリッジ３００は、記録ヘッド１４３を搭載したサブキャリッジ２２０と、サブキャリッジ２２０を支持するメインキャリッジ２１０とを含む。サブキャリッジ２２０は、上側連結部２３０および下側連結部２４０を介してメインキャリッジ２１０から支持されて、メインキャリッジと共に往復移動する。また、メインキャリッジ２１０は、サブキャリッジ２２０の他に、カッタユニット２５０も搭載する。
【００３３】
サブキャリッジ２２０は、調整レバー２８０を介した操作を受けて、記録ヘッド１４３からのインクの吐出方向に沿ってメインキャリッジ２１０に対して変位する。これにより、被記録媒体１９１および記録ヘッド１４３の間隔であるプラテンギャップを調整して、被記録媒体１９１の厚さ等が変化した場合に記録品質を維持できる。ただし、サブキャリッジ２２０は、メインキャリッジ２１０に対してガタが生じないように、ばね２２６により上方に付勢される。
【００３４】
記録ヘッド１４３は、記録ヘッドケース２７０に収容された状態で、サブキャリッジ２２０の下面に形成された穴に落とし込まれる。記録ヘッドケース２７０は、ばね２２４により付勢された押さえレバー２２２により後方に向かって付勢される。これにより、記録ヘッドケース２７０の取り付け位置を後方に寄せてサブキャリッジ２２０に対する取り付け位置を一定にすると共に、サブキャリッジ２２０に対して生じるガタを防止している。
【００３５】
記録ヘッド１４３の上面側には、逆止弁１４６とコネクタ２７２が設けられる。インクジェット式記録装置１００が稼働する状態では、記録ヘッド１４３にインクを供給する管路が逆止弁１４６に結合される。また、コネクタ２７２にはフラットケーブル１４９の先端が接続される。フラットケーブル１４９は、記録ヘッド１４３に駆動信号を供給する。
【００３６】
図６は、図３に示した内部機構２００を、インクジェット式記録装置１００の側面側から見た様子を示す図である。同図に示すように、記録ヘッド１４３を搭載したキャリッジ３００のメインキャリッジ２１０は、２対のボールベアリング２９０で案内部材１４５を挟み、２対のボールベアリング２９１で案内部材１４５に押し当てることにより懸架される。これにより、キャリッジ３００は、案内部材１４５に沿って円滑に移動する。
【００３７】
図７は、キャリッジ３００を裏面から見た様子を示す背面図である。同図に示すように、メインキャリッジ２１０は、上下左右に配置された２対のボールベアリング２９０を備える。これにより、キャリッジ３００は、案内部材１４５に対して安定した姿勢で円滑に往復移動する。
【００３８】
上記のように、キャリッジ３００および案内部材１４５の間にボールベアリング２９０を介在させることによりキャリッジ３００の移動は円滑になり、キャリッジ駆動部３０１（図９参照）にかかる負荷も軽減される。しかしながら、ボールベアリング２９０のような転がり軸受けは、負荷を受けるボールまたはコロが交代する毎に不可避に振動を生じる。このため、キャリッジ３００に振動が伝播されることが避けられない。これに対して、図１１および図１２を参照して後述するように、独特の構造を利用して記録ヘッド１４３の見かけ上の質量を変化させることにより、キャリッジ３００に伝播された振動が記録品質に与える影響を抑制できる。
【００３９】
図８は、キャリッジ３００に搭載されたカッタユニット２５０を単独で示す斜視図である。同図に示すように、カッタユニット２５０は、キャリッジ３００に取り付ける場合のブラケットを兼ねたベースプレート２５４と、ベースプレート２５４の下面に配置されたカッタ刃２５２とを備える。また、図示は省略したが、カッタ刃２５２を昇降させる機構を備える。これにより、カッタ刃２５２を適宜降下させた状態でキャリッジ３００を移動させて、被記録媒体１９１を切断できる。
【００４０】
また、カッタユニット２５０は、その上側を覆うカッタカバー２５６を備える。これにより、カッタ刃２５２が記録部１４０の内側に露出することを防止する。
【００４１】
図９は、内部機構２００において、キャリッジ３００の往復移動を駆動するキャリッジ駆動部３０１の配置を示す斜視図である。同図に示すように、キャリッジ駆動部３０１は、往復案内部材１４５に対してキャリッジ３００と反対の側において、案内部材１４５に沿って配置される。ただし、図９においては、キャリッジモータ３２０が露出しているものの、他の部材はカバー部材３１０に覆われている。
【００４２】
図１０は、図９に示したキャリッジ駆動部３０１からカバー部材３１０を取り外して、その内部の構造を示す斜視図である。同図に示すように、キャリッジモータ３２０は、キャリッジ駆動部３０１の内部においてプーリ３２２を備え、プーリ３２２には駆動ベルト３３０が掛け回される。
【００４３】
キャリッジモータ３２０によりプーリ３２２が回転駆動された場合、駆動ベルト３３０は、プーリ３２２の周囲で折り返して、案内部材１４５に沿って走行する。なお、図示は省略したが、案内部材１４５の他端においては、駆動ベルト３３０の他端を掛け回され、駆動ベルト３３０の変位に従って連れ回されるもうひとつのプーリ３２２が配置される。
【００４４】
また、駆動ベルト３３０は、その一部において、結合部材３３２を介してメインキャリッジ２１０に結合される。従って、キャリッジモータ３２０が駆動ベルト３３０を走行させた場合、キャリッジ３００は案内部材１４５に沿って移動する。更に、キャリッジモータ３２０を逆転させることにより、キャリッジ３００を往復移動させることができる。
【００４５】
インクジェット式記録装置１００が大型である場合、駆動ベルト３３０は例えば金属製になる。また、その長手方向に直交する方向について反りを与えられ、それに応じて、プーリ３２２も、その軸方向について中央部が小径になる。これにより、駆動ベルト３３０がプーリ３２２から脱落することが防止されると共に、プーリ３２２の間において、駆動ベルト３３０が直線性の高い軌道を走行する。
【００４６】
しかしながら、このような構造では、キャリッジモータ３２０等で発生した振動が、プーリ３２２、駆動ベルト３３０等を介してキャリッジ３００に伝播されやすくなる。これに対して、以下に説明するように記録ヘッド１４３の見かけ上の質量を変化させることにより、キャリッジ３００に伝播された振動が記録品質に与える影響を抑制できる。
【００４７】
図１１は、キャリッジ３００における記録ヘッド１４３の取り付け構造を示す分解斜視図である。同図に示すように、メインキャリッジ２１０から支持されるサブキャリッジ２２０に対して、記録ヘッド１４３は、記録ヘッドケース２７０に収容された状態で搭載される。これにより、サブキャリッジ２２０および記録ヘッド１４３の形状の相違が記録ヘッドケース２７０により吸収される。
【００４８】
また、記録ヘッドケース２７０および記録ヘッド１４３の間の間隙は、後述するウエイトカバー４１０により埋められる。ウエイトカバー４１０は、記録ヘッドケース２７０のネジ穴２７４に螺入されるネジ４１３により、記録ヘッドケース２７０に対して固定される。なお、後述するように、ウエイトカバー４１０には、バラスト４２０を装着することができ、その場合はウエイト組立体４００として装着される。
【００４９】
更に、記録ヘッド１４３およびウエイトカバー４１０を装着された記録ヘッドケース２７０は、ヘッドカバー３４０により覆われる。ヘッドカバー３４０は、記録ヘッドケース２７０のネジ穴２７３を利用して固定される。
【００５０】
図１２は、ウエイト組立体４００を単独で示す分解斜視図である。同図に示すように、記録ヘッドケース２７０に固定されるウエイトカバー４１０は、バラスト４２０を装着することにより、ウエイト組立体４００を形成する。バラスト４２０は、鉄板により形成されたバラスト板４２２を複数重ねて形成される。これにより、バラスト板４２２の枚数を変更することにより、バラスト４２０全体の重さを調節することができる。
【００５１】
また、バラスト４２０は、ネジ４３０によりウエイトカバー４１０に対して固定される。既に説明した通り、ウエイトカバー４１０は、記録ヘッドケース２７０に対して固定されるので、バラスト４２０の質量が追加された場合、キャリッジ３００から見て記録ヘッド１４３の質量が増したことになる。
【００５２】
なお、ウエイトカバー４１０には、ヘッドカバー３４０を固定するネジ（不図示）を挿通する挿通穴４１２が形成される。また、バラスト４２０を形成するバラスト板４２２の各々にも、対応する位置に切欠きが形成される。
【００５３】
上記のように、ウエイト組立体４００は、ウエイトカバー４１０に装着するバラスト板４２２の枚数を変更することにより、その質量を変化させることができる。従って、いったん製造されたインクジェット式記録装置１００において、例えば、記録ヘッド１４３が過剰に振動して被記録媒体１９１に形成される画像に縦むらが生じた場合に、バラスト板４２２の枚数を変更して対処することができる。
【００５４】
即ち、ウエイト組立体４００に装着するバラスト板４２２の枚数を増加することにより記録ヘッド１４３の見かけ上の質量が増加する。これにより、サブキャリッジ２２０を含む系の振動モードを変化させることができる。この場合、ウエイト組立体４００による重量は記録ヘッド１４３の直近にかけられるので、キャリッジ３００全体の重量を徒に増加させることなく、記録ヘッド１４３の振動を抑制することができる。
【００５５】
また、上記のように、ウエイト組立体４００の重量を製造後に変化させることができるので、稼働による磨耗あるいは経時変化により記録ヘッド１４３の伝播される振動が増加した場合も、ウエイト組立体４００の重量を変化させて対処できる。
【００５６】
上記の実施形態では、インクジェット式記録装置１００を例に挙げて具体的な構成を説明したが、この液体噴射装置は、例えば、液晶ディスプレイ用カラーフィルタの製造における色材噴射装置、有機ＥＬディスプレイ、ＦＥＤ（面発光ディスプレイ）等の製造における電極形成装置、バイオチップ製造に使用する試料噴射ヘッド、精密ピペットとしての試料噴射ヘッド、付け爪に絵、文字等を描く装置等としても実施でき、更に、これらに限定されない。
【００５７】
以上、本発明を実施の形態を用いて説明したが、本発明の技術的範囲は上記実施の形態に記載の範囲には限定されない。上記実施の形態に、多様な変更または改良を加え得ることは当業者に明らかである。また、そのような変更または改良を加えた形態も本発明の技術的範囲に含まれ得ることが、特許請求の範囲の記載から明らかである。
【図面の簡単な説明】
【００５８】
【図１】インクジェット式記録装置１００の斜視図である。
【図２】記録部１４０を露出させたインクジェット式記録装置１００の斜視図である。
【図３】内部機構２００を部分的に抜き出して示す図である。
【図４】内部機構２００における給送経路を示す模式的な断面図である。
【図５】搭載したキャリッジ３００の詳細な構造を示す斜視図である。
【図６】内部機構２００を側面から見た様子を示す図である。
【図７】キャリッジ３００を裏面から見た様子を示す背面図である。
【図８】カッタユニット２５０を単独で示す斜視図である。
【図９】キャリッジ駆動部３０１の配置を示す斜視図である。
【図１０】キャリッジ駆動部３０１の内部構造を示す斜視図である。
【図１１】記録ヘッド１４３の取り付け構造を示す分解斜視図である。
【図１２】ウエイト組立体４００を単独で示す分解斜視図である。
【符号の説明】
【００５９】
１００  インクジェット式記録装置、１１０  筐体、１１１  給送部、１１２  給送駆動ローラ、１１４  給送従動ローラ、１２０  カートリッジホルダ、１２４  インクカートリッジ、１３０  装填部、１３２  ロールカバー、１３４  リリースレバー、１３６  スピンドル支持部、１３９  クランプ部材、１４０  記録部、１４１  記録部フレーム、１４２  トップカバー、１４３  記録ヘッド、１４４  フロントカバー、１４５  案内部材、１４６  逆止弁、１４７  フラットチューブ、１４９  フラットケーブル、１５０  キャリッジエンコーダスケール、１５２  プラテンプレート、１５９  排出ダクト、１６０  排出部、１７０  脚部、１８０  操作パネル、１８２  スイッチ、１８４  表示部、１９０  ロール組立体、１９１  被記録媒体、１９２  紙管、１９４  スピンドル部材、２００  内部機構、２１０  メインキャリッジ、２２０  サブキャリッジ、２２２  押さえレバー、２２４、２２６  ばね、２３０  上側連結部、２４０  下側連結部、２５０  カッタユニット、２５２  カッタ刃、２５４  ベースプレート、２５６  カッタカバー、２７０  記録ヘッドケース、２７１、４１４  ネジ穴、２７２  コネクタ、２７３、２７４  ネジ穴、２８０  調整レバー、２９０、２９１  ボールベアリング、３００  キャリッジ、３０１  キャリッジ駆動部、３１０  カバー部材、３２０  キャリッジモータ、３２２  プーリ、３３０  駆動ベルト、３３２  結合部材、３４０  ヘッドカバー、４００  ウエイト組立体、４１０  ウエイトカバー、４１２  挿通穴、４１３、４３０  ネジ、４２０  バラスト、４２２  バラスト板
【図１】
2009023173.tif 000003
【図２】
2009023173.tif 000004
【図３】
2009023173.tif 000005
【図４】
2009023173.tif 000006
【図５】
2009023173.tif 000007
【図６】
2009023173.tif 000008
【図７】
2009023173.tif 000009
【図８】
2009023173.tif 000010
【図９】
2009023173.tif 000011
【図１０】
2009023173.tif 000012
【図１１】
2009023173.tif 000013
【図１２】
2009023173.tif 000014